(57)【特許請求の範囲】
【請求項１】
無停電取替工具に一体に設けられる電線保護具であって、
外側面に電線支持用の複数の平行溝が形成された対向部分と内部に平行溝方向に貫通する収納部とを有する一方の挟圧体と、外側面に電線支持用の複数の平行溝が形成された対向部分を有する他方の挟圧体と、を有し、これら挟圧体の対向部分どうしを当接させて組み立て形成される一対の挟圧体と、
略Ｔ字状の板体であって上側の先端部、この先端部の下側で連接する本体、および、この本体の外周側に形成される係止凹部を有し、一対の挟圧体の平行溝方向に移動自在に支持されつつ収納部内に配置され、収納部と外部との間を移動する絶縁保護体と、
収納部の中に配置され、絶縁保護体を収納部から外部へ突出する方向に付勢する付勢部と、
絶縁保護体の係止凹部を通過する形状の係止部と、平行溝内に突出する突き出し部と、を有し、一対の挟圧体の平行溝方向と直角方向に移動するように支持されるストッパと、
を備え、
ストッパの係止部が絶縁保護体の係止凹部内に位置して絶縁保護体の移動を停止するとともにストッパの突き出し部が平行溝内に突出する状態を平時とし、電力量計を取り外す際に電力量計の引込電線が平行溝内に配置されてストッパの突き出し部が押圧された場合にはストッパの係止部が絶縁保護体の係止凹部から外れて絶縁保護体が突出して引込電線の芯線との混触を防止することを特徴とする電線保護具。
【発明の詳細な説明】
【０００１】
【発明の属する技術分野】
本発明は、計量機器の失効替工事の際に使用する電線保護具であり、詳しくは、無停電取替工具を用いて電力量計等の計量機器を取り替える作業の時に引込電線の充電部（芯線）同士、または、充電部と接地部との混触を防止する電線保護具に関する。
【０００２】
【従来の技術】
需要家に設置されている電力量計や計器用変成器（低圧変流器）等の計量機器の失効替工事では、需要家の停電を避けるため、無停電取替工具を用いて計量機器の交換作業を行っている。
このような無停電取替工具を用いる計量機器の取替工事について、電力量計を例に挙げ、図を参照しつつ説明する。図６は、無停電取替工具を用いる電力量計の取替工事の説明図であり、図６（ａ）は取替前の状態図、図６（ｂ）は取替中の状態図である。
【０００３】
この無停電取替工具１００は、押し切りネジやピンにより引込電線２００の電線被覆を破って芯線を露出し、電源側引込電線と負荷側引込電線との間にバイパス導通路を形成する電気的接続を行うとともに、電源側引込電線と負荷側引込電線とを一括挟持して機械的に固定支持するための工具である。
【０００４】
まず、図６（ａ）で示すように、無停電取替工具１００を引込電線２００に固定して、バイパス導通路を形成するとともに、引込電線２００を機械的に固定する。
そして、図６（ｂ）で示すように、電力量計取付板３００から被交換用の電力量計４００が取り外される。
【０００５】
この電力量計４００が取り外されてから交換用の電力量計４００が取り付けられるまでの間、電源側引込電線と負荷側引込電線との充電部、つまり芯線が露出された状態となり、充電部同士、または、充電部と接地部との混触等短絡事故や地絡事故を発生するおそれがある。
そこで、電線の充電部に絶縁キャップ（図示せず）を被覆して事故防止手当を施している。
【０００６】
そして、交換用の電力量計４００を取り付ける直前で絶縁キャップを取り外し、図６（ｂ）で示すように、交換用の電力量計４００を取り付ける。
最終的には無停電取替工具１００を外し、押し切りねじにより露出した引込電線２００の露出芯線部に絶縁テープ等で被覆して、取替工事を終了することとなる。
無停電取替工具１００を用いる電力量計４００の取替工事はこのような一連の作業を経ることとなる。
【０００７】
【発明が解決しようとする課題】
このような取替工事において、従来技術では、被交換用の電力量計４００の端子列ターミナル４００ａから引き出された引込電線の芯線部は、曲がりくせ、捩れ、または電線のバラケ（芯線がバラバラになっている状態）が生じている場合が多く（図２（ａ）参照）、交換用の電力量計４００の端子列ターミナル４００ａとスムースに接続し難い状態を留めている。
【０００８】
これらの引込電線２００は、需要家資産であって無断で交換したり切断することも出来ないため、充電部（芯線）に補正を施した上で継続使用されている。特に、作業者は充電部（芯線）のバラケ補正を行う際に、いちいち絶縁手袋をはめてペンチやニッパなど工具を用いながら補正しなければならないなど、煩わしい作業を強いられているという問題点があった。
【０００９】
それと、計量機器の中でも特に電力量計４００は、需要家屋外軒下等設置スペースにより取り付け面との平行移動距離が制約されている。例えば、図６（ｂ）に示すように、電力量計４００の上方に庇・軒・雨よけ等の障害物５００がある場合の移動制約により、取り外し時と取り付け時とで、電力量計４００全体を電線立ち上げ方向に対して斜め方向へ移動して交換作業が行われている。
【００１０】
一方、電力量計４００は、端子列ターミナル４００ａ近傍の外箱背面が下方へ突き出る構造を有しており、無停電取替工具１００から一括して立ち上げられている引込電線２００と端子列ターミナル４００ａとの引き抜きまたは挿入を行う前後で斜め方向に移動する際に、一括して立ち上げられている引込電線２００の先端の充電部が、外箱背面と接触して短絡事故や地絡事故を発生させるというおそれがある。
【００１１】
それを防止せんと、作業者は、無停電取替工具１００から一括して立ち上げられている引込電線２００の先端の充電部を、外箱背面と一定の距離を保ちながら電線立ち上げ方向を注意深く徐々に変えて交換作業を行っていた。
または、被交換用の電力量計４００と交換用の電力量計４００共に、端子列ターミナル４００ａからの外箱背面部に絶縁テープを巻付けまたは巻外す工程を付加して交換作業を行っており、何れにしても不安定な作業や無駄な工程作業を強いられていた。
【００１２】
そこで、本発明の目的は、需要家への停電を避けつつ行う計量機器の失効替工事の際に、作業者にとって煩わしい作業、不安定な作業、等無駄な工程を削減して作業効率を向上させるとともに、電線の充電部混触に起因する短絡事故や地絡事故を防止する安全な電線保護具を提供することにある。
【００１３】
【課題を解決するための手段】
上記課題を解決するために、請求項１の発明に係る電線保護具によれば、
無停電取替工具に一体に設けられる電線保護具であって、
外側面に電線支持用の複数の平行溝が形成された対向部分と内部に平行溝方向に貫通する収納部とを有する一方の挟圧体と、外側面に電線支持用の複数の平行溝が形成された対向部分を有する他方の挟圧体と、を有し、これら挟圧体の対向部分どうしを当接させて組み立て形成される一対の挟圧体と、
略Ｔ字状の板体であって上側の先端部、この先端部の下側で連接する本体、および、この本体の外周側に形成される係止凹部を有し、一対の挟圧体の平行溝方向に移動自在に支持されつつ収納部内に配置され、収納部と外部との間を移動する絶縁保護体と、
収納部の中に配置され、絶縁保護体を収納部から外部へ突出する方向に付勢する付勢部と、
絶縁保護体の係止凹部を通過する形状の係止部と、平行溝内に突出する突き出し部と、を有し、一対の挟圧体の平行溝方向と直角方向に移動するように支持されるストッパと、
を備え、
ストッパの係止部が絶縁保護体の係止凹部内に位置して絶縁保護体の移動を停止するとともにストッパの突き出し部が平行溝内に突出する状態を平時とし、電力量計を取り外す際に電力量計の引込電線が平行溝内に配置されてストッパの突き出し部が押圧された場合にはストッパの係止部が絶縁保護体の係止凹部から外れて絶縁保護体が突出して引込電線の芯線との混触を防止することを特徴とする。
【００１８】
【発明の実施の形態】
続いて、第一の発明の実施形態を、図を参照しつつ説明する。図１は第一の発明に係る実施形態の電線保護具の断面構成図、図２は電線保護具の使用説明図である。
なお、図６で示した従来技術と同じものを使用する場合は同一の符号を使用するとともにその重複する説明を省略する。
この電線保護具１０は、図１で示すように、支軸１と、矯正金具２ａ，２ｂと、付勢部の具体例であるスプリング３と、開口部４と、開口部４に形成された凹凸部５と、ゴムキャップ６と、を備えている。
【００１９】
矯正金具２ａ，２ｂは、中心軸面に対し二分割される略中空円筒状金具であり、末端が支軸１に回動自在に軸支され、先端が開閉するように構成されている。
この矯正金具２ａ，２ｂは、鉄、ステンレス、銅、銅合金、等材料は特に制約されるものではなく適宜選定することが可能である。さらに、金具片に代えて、全体を硬質絶縁ゴム或いはエポキシ樹脂で形成し、凹凸部５を二分して開口部４の内周面に埋め込む構成としてもよい。
【００２０】
スプリング３は、本発明の構成の付勢部の一具体例であり、これら二個の矯正金具２ａ，２ｂの先端が閉脚するように付勢している。
開口部４は、二個の矯正金具２ａ，２ｂが閉脚した場合の先端に形成される環状の孔部である。
凹凸部５は、開口部４の内側面に形成される。図１（ａ）では、略三角形状の凸部が多数形成された凹凸部である。
【００２１】
ゴムキャップ６は、本発明の構成の絶縁被覆部の一具体例であり、二個の矯正金具２ａ，２ｂの外表面全体を覆うように絶縁ゴムで形成されている。また、弾性を確保できるならば絶縁樹脂を採用することも可能である。
なお、ゴムキャップ６には、図示しないが、開脚操作用として、指先に掛け易い状態とするため、例えば突起部または凹凸部など適宜滑り止め部（請求項３記載の発明に相当する）も一体形成している。
【００２２】
続いて、この電線保護具１０の組立方法について説明する。
図１で示すように、支軸１により矯正金具２ａ，２ｂの一端を回動自在に軸支する。そして、矯正金具２ａ，２ｂを一端開脚し、矯正金具２ａ，２ｂの両金具片に跨ってスプリング３を取り付ける。矯正金具２ａ，２ｂはスプリング３の収縮力により閉脚した状態を維持する。
【００２３】
閉脚状態になると開口部４が形成される。開口部４は、矯正金具２ａ，２ｂの先端に現れる円環状の孔部であり、その孔の内部に凹凸部５が形成されている。
そして、矯正金具２ａ，２ｂの外表面全体をＥＰＴゴム等の絶縁ゴムで被覆してゴムキャップ６を設ける。なお、エポキシ樹脂等の絶縁樹脂を採用することも可能である。
【００２４】
続いて、電線保護具１０の使用方法について図を参照しつつ説明する。
仮に、図２（ａ）で示すように、引込電線２００の芯線２００ａがバラケ状態であった場合、図２（ｂ）で示すように、計量機器の交換作業の際に電線２００の充電部である芯線２００ａに対して、電線保護具１０を開脚して芯線２００ａに被せた後で閉脚させる。この場合、芯線２００ａの根元部分を覆うように両側から閉脚固定されるため、従来技術の絶縁キャップを被覆した状態と同様にさせることにより、作業中においては電線２００の混触等による事故防止手当を施すことができる。
【００２５】
その後、電線保護具１０を両側から握って回転させながら上に引き抜くと、開口部４内周面に形成されている凹凸部５が回転しながら芯線方向に沿って移動することにより、図２（ｃ）で示すように、引き抜きと同時に芯線２００ａのバラケ状態を補正することが出来る。
【００２６】
こうして従来の絶縁キャップの「被せる／外す」工程をより簡易に行えると共に、「被せる／外す」工程および「電線のバラケ補正」工程を同時に一括して行うようにした。
これにより、従来技術の「被せる／外す」工程の後で別途必要であった「電線のバラケ補正」工程を省くことができる。
【００２７】
続いて、請求項１に記載の発明に係る第二の発明の実施形態について図を参照しつつ説明する。図３は、電線保護具を含む無停電取替工具を用いる電力量計の取替工事の説明図であり、図３（ａ）は取替前の状態図、図３（ｂ）は取替中の状態図である。
なお、図６で示した従来技術と同じものを使用する場合は同一の符号を使用するとともにその重複する説明を省略する。
【００２８】
まず、失効取替工事について簡単に説明する。
電力量計４００の失効取替工事では、図３で示すように、需要家への停電を避けるために、電源側と負荷側とのそれぞれの引込電線２００の間にバイパス導通路を形成する無停電取替工具１００’を使用する。
図３（ａ）で示すように、電力量計４００の端子列ターミナル４００ａに接続されている引込電線２００に対し、無停電取替工具１００’の一対の挟圧体２１，２２が引込電線２００を挟圧した状態で固定する。
【００２９】
これら挟圧体２１，２２は、内側の対向部分にそれぞれ電線支持用の複数平行溝（後述）を形成している。この挟圧体２１，２２が互いに当接して、平行溝の引込電線２００を支持している。
このうち挟圧体２１はバイパス部を内蔵しており、電源側の引込電線と負荷側の引込電線との絶縁被覆を針状ピンや押切りネジ等で貫通させて短絡する。本実施形態ではこの無停電取替工具１００’の挟圧体２１，２２が、第二の発明による電線補護具であるというものである。
【００３０】
つづいて、第二の発明による電線保護具の構成を説明する。
図４は第二の発明に係る実施形態の電線保護具の構成図であり、図４（ａ）は絶縁保護体が収容された状態図、図４（ｂ）は絶縁保護体が突出した状態図である。 図５は第二の発明に係る実施形態の電線保護具の構成図であり、図５（ａ）は絶縁保護体が収容された状態図、図５（ｂ）は絶縁保護体が突出した状態図、図５（ｃ）は絶縁保護体の正面図である。
【００３１】
電線保護具２０は、図３で示すように、挟圧体２１、２２を備えている。さらに挟圧体２２は、図４（ａ），（ｂ）で示すように、絶縁保護体２３、圧縮スプリング２４、ストッパ２５、スプリング２６、収納部２７を備えている。
この電線保護具２０は、計量機器、特に電力量計の交換作業を行う際に、取り外し時および取り付け時における電線芯線と被交換用電力量計外箱背面との混触を防止する電線保護具であり、無停電取替工具内に一体に形成される。
【００３２】
そして、図３（ｂ）で示すように、被交換用の電力量計４００の取り外し時には絶縁保護体２３が端子列ターミナル４００ａに当接しつつスライドして上昇し、また、電力量計４００の取り付け時には絶縁保護体２３が端子列ターミナル４００ａに当接しつつスライドして下降するため、一括して立ち上げられている引込電線２００の先端の充電部と外箱背面部とを常時遮り、短絡事故や地絡事故を防止するようにしている。
【００３３】
続いて、各構成について説明する。
挟圧体２２は、さらに、引込電線２００を当接させる平行溝２２ａを複数（６本）備えている（図５（ａ）参照）。この挟圧体２２の内部には、絶縁保護体２３を収納する収納部２７が設けられている（図４（ａ），（ｂ）参照）。
【００３４】
絶縁保護体２３は、挟圧体２２の複数平行溝２２ａの溝方向と同一方向に移動するように支持されており、さらに圧縮スプリング２４により付勢されている。したがって、絶縁保護体２３は、収納部２７内に収納されている時は上側へ上昇しようとする力が付勢されている。
絶縁保護体２３は、図５（ｃ）で示すような係止凹部２３ａを備えている。
なお、絶縁保護体２３は、絶縁性能の他に機械的強度も要求されるので、ガラス繊維含浸エポキシ積層板等を使用するのが望ましい。
【００３５】
ストッパ２５は、図５（ａ）〜（ｃ）で示すように係止部２５ａが設けられている。
ストッパ２５は、図５（ｃ）で示す絶縁保護体面と直角方向に、スプリング２６により付勢されており、通常は、図５（ａ），（ｃ）で示すように、絶縁保護体２３の両側に設けた係止凹部２３ａと係止部２５ａとが係止した状態で安定している。この場合、両側二箇所の平行溝２２ａでストッパ２５が突き出ている状態である。
【００３６】
この絶縁保護体２３およびストッパ２５は、特に図示していないが、適宜ガイドを挟圧体２２に設けることで、移動範囲が制約されており、例えば、図４（ａ）の位置から図４（ｂ）への状態まで移動するが、これ以上は移動しないように制約されている。
なお、ストッパ２５の形状は、図示した略Ｔ字状以外の構成を採用することもでき、単にＬ字状として係止部を設け、係止部と直接スプリングを接続したり、突出部近傍にバネ座金を備える等簡易にしてもよい。
【００３７】
続いて、この電線保護具の使用について説明する。
挟圧体２２の複数平行溝２２ａに電線がない場合（図４（ａ），図５（ａ）参照）、スプリング２６の反撥力により、両側二箇所の平行溝２２ａでストッパ２５が突き出ている状態である。このため、ストッパ２５の係止部２５ａは、絶縁保護体２３の両側に設けた係止凹部２３ａと係止する位置にあり、絶縁保護体２５は上昇することはない。
【００３８】
ところが、図４（ｂ），図５（ｂ）で示すように、挟圧体２２の複数の平行溝２２ａに引込電線２００が当接して挟圧体２１，２２により一括挟持されると、ストッパ２５が引込電線２００に押圧されて移動し、絶縁保護体２３の両側に設けた係止凹部２３ａと係止部２５ａによる係止が解かれ、絶縁保護体２３は圧縮スプリング２４の反撥力により上方に突出できる状態となる。
そして、絶縁保護体２３の先端部が端子列ターミナル４００ａや外箱背面等固定物に常時当接しつつ圧縮スプリング伸縮範囲内でスライド可能となる。
【００３９】
このため電力量計４００を移動させると、ともに絶縁保護体２３が追従しつつ上昇するため、図３（ｂ）で示すように、引込電線２００と外箱背面との間を常時遮ることとなる。この絶縁保護体２３の存在により、取り外し時における引込電線２００の充電部と電力量計４００の外箱背面との混触、および、取り付け時における引込芯線２００の充電部と電力量計４００の外箱背面との混触、それぞれ防止することとなる。
【００４０】
【発明の効果】
こうして、需要家への停電を避けて計量機器、特に各家庭毎に設置されている膨大な数量の電力量計失効替工事の際に、作業者が、第一の発明による電線保護具又は第二の発明による電線保護具、或いは第一の発明の第二の発明による電線保護具を併用することで、煩わしい作業や不安定な作業等無駄な工程を削減し、大幅に作業効率を向上しながら電線の充電部混触に起因する短絡事故や地絡事故に脅えることなく安全に作業を行える。
【００４１】
総じて、本発明によれば、需要家への停電を避けつつ行う計量機器の失効替工事の際に、作業者にとって煩わしい作業、不安定な作業、等無駄な工程を削減して作業効率を向上させるとともに、電線の充電部混触に起因する短絡事故や地絡事故を防止する安全な電線保護具を提供することができる。
【図面の簡単な説明】
【図１】第一の発明に係る実施形態の電線保護具の断面構成図である。
【図２】電線保護具の使用説明図である。
【図３】電線保護具を含む無停電取替工具を用いる電力量計の取替工事の説明図である。
【図４】第二の発明に係る実施形態の電線保護具の構成図である。
【図５】第二の発明に係る実施形態の電線保護具の構成図である。
【図６】無停電取替工具を用いる電力量計の取替工事の説明図である。
【符号の説明】
１０              電線保護具
１                支軸
２ａ，２ｂ        矯正金具
３                スプリング
４                開口部
５                凹凸部
６                ゴムキャップ
２０              無停電取替工具
２１，２２        挟圧体
２２ａ            平行溝
２３              絶縁保護体
２３ａ            係止凹部
２４              圧縮スプリング
２５              ストッパ
２５ａ            係止部
２６              スプリング
２７              収納部
１００，１００’  無停電取替工具
２００            引込電線
２００ａ          芯線
２００ｂ          被覆
３００            電力量計取付板
４００            電力量計
４００ａ          端子列ターミナル
【図１】
0004029965.tif 000002
【図２】
0004029965.tif 000003
【図３】
0004029965.tif 000004
【図４】
0004029965.tif 000005
【図５】
0004029965.tif 000006
【図６】
0004029965.tif 000007